(57)【要約】【課題】直感的で操作性に優れた方法で、所望のパラメータを、全てのチャンネルストリップの多機能操作子にまとめて割り当てる。【解決手段】それぞれ入力された信号に対して信号処理を行う複数のチャンネル１１と、それぞれ、前記複数のチャンネルの何れか１つに対応付けられ、且つ、任意のパラメータを割当可能な多機能操作子５２を含む複数のチャンネルストリップを備える操作部１２と、前記複数のチャンネルの何れか１つのチャンネルの信号処理を制御するための複数のパラメータを一画面内に表示する表示部１３と、前記表示部１３において何れか１つのパラメータが選択されたとき、各チャンネルストリップの前記多機能操作子５２に、それぞれ対応付けられたチャンネルの前記選択されたパラメータを割り当てる、割り当て制御部１４を備える。【選択図】        図１
2018107511.tif 000002
【特許請求の範囲】
【請求項１】
それぞれ入力された信号に対して信号処理を行う複数のチャンネルと、
それぞれ、前記複数のチャンネルの何れか１つに対応付けられ、且つ、任意のパラメータを割当可能な多機能操作子を含む複数のチャンネルストリップを備える操作部と、
前記複数のチャンネルの何れか１つのチャンネルの信号処理を制御するための複数のパラメータを一画面内に表示する表示部と、
前記表示部において何れか１つのパラメータが選択されたとき、各チャンネルストリップの前記多機能操作子に、それぞれ対応付けられたチャンネルの前記選択されたパラメータを割り当てる割り当て制御部
を備える音処理装置。
【請求項２】
前記表示部は、前記複数のチャンネルのうち何れか１つのチャンネルの信号処理を制御するための全てのパラメータを一画面内に表示する
ことを特徴とする請求項１に記載の音処理装置。
【請求項３】
それぞれ入力された信号に対して信号処理を行う複数のチャンネルと、それぞれ、前記複数のチャンネルの何れか１つに対応付けられ、且つ、任意のパラメータを割当可能な多機能操作子を含む複数のチャンネルストリップを備える操作部と、表示部を備える音処理装置において、該音処理装置のコントローラが実行する割当方法であって、
前記複数のチャンネルの何れか１つのチャンネルの信号処理を制御するための複数のパラメータを一画面内に表示する詳細画面を、前記表示部に表示するステップと、
前記詳細画面において何れか１つのパラメータが選択されたとき、各チャンネルストリップの前記多機能操作子に、それぞれ対応付けられたチャンネルの前記選択されたパラメータを割り当てるステップ
からなる方法。
【発明の詳細な説明】
【技術分野】
【０００１】
この発明は、例えばオーディオミキサなどに用いて好適な音処理装置及び方法に関する。
【０００２】
オーディオミキサ（以下単に「ミキサ」とも言う）は、大略、各チャンネルにおいて、入力された音信号の音特性調整処理を行い、処理後の音信号をバスに選択的に出力し、各バスにおいて、１又は複数のチャンネルから供給された音信号を混合して、混合結果を出力先に出力するように構成される。デジタルミキサは、専ら、デジタル音信号に対するデジタル信号処理により、チャンネル毎の音特性処理や音信号の経路設定処理などの各種信号処理を行う。ミキサのメモリには、それら信号処理に用いる全てのパラメータの値が記憶される。
【０００３】
デジタルミキサの操作パネルには、複数のチャンネルストリップが備わり、操作者は、各チャンネルストリップに備わる操作子を用いて、そのチャンネルストリップに割り当てられたチャンネルの信号処理を制御するパラメータの値を調整できる。１つのチャンネルの信号処理を制御するパラメータは、例えば、入力ゲイン、アッテネータ、イコライザの周波数帯域やゲイン、コンプレッサのスレッショルドやレシオ、フェーダレベル、バス毎のセンドレベル、パン、チャンネルオン・オフなど、多数である。これらのパラメータの１つずつに対応する物理的操作子を備えるように構成したのでは、部品点数が膨大になり、ミキサ筐体サイズも大きくなってしまう。この点、従来よりデジタルミキサは、チャンネルストリップ毎に任意のパラメータを割り当て可能な多機能操作子を備えることにより、部品点数の削減や、ミキサ筐体サイズの小型化等を図っている。
【０００４】
例えば、下記特許文献１には、多機能操作子に割り当てるパラメータの選択を、例えばディスプレイに表示されたチャンネルストリップ画面から行うことが記載されている。具体的には、チャンネルストリップ画面は、物理的操作パネル上の複数のチャンネルストリップにそれぞれ対応する複数のチャンネルストリップ画像を備え、各チャンネルストリップ画像内に、対応するチャンネルストリップに割り当てられているチャンネルのパラメータを示すパラメータ画像が表示される。この画面において、何れか１つのチャンネルストリップ画像内で何れか１つのパラメータ画像を選択すると、全てのチャンネルストリップ画像内で、選択されたパラメータに対応するパラメータ画像が選択状態になり、且つ、全てのチャンネルストリップの多機能操作子に、選択されたパラメータが割り当てられる（特許文献１の段落［００３５］等を参照）。
【０００５】
上記の従来チャンネルストリップ画面は、複数のチャンネルの設定状況を一覧できるが、１つのチャンネル分の情報を表示する領域サイズが狭くなり、１チャンネル分の信号処理を制御するパラメータ群のうちの一部しか表示できない。従って、従来のチャンネルストリップ画面からパラメータを選択する方法では、１つのチャンネルの信号処理を制御する全てのパラメータのうちから、所望のパラメータを選択することはできなかった。
【０００６】
また、多機能操作子に割り当てるパラメータを選択する別の方法として、ディスプレイにパラメータのリスト画面を表示し、そのリストからパラメータを選択する方法もあった。しかし、この方法は、パラメータ選択を行うだけのために別途リスト画面の表示を行い、表示されたリスト画面から所望のパラメータを探し出す、という作業を要し、直感性に欠ける。また、多機能操作子に割り当てるパラメータの切り替えを素早く行うことが難しい。
【先行技術文献】
【特許文献】
【０００７】
【特許文献１】特開２００６‐３１１５１４号公報
【発明の概要】
【発明が解決しようとする課題】
【０００８】
この発明は、上述の点に鑑みてなされたもので、直感的で操作性に優れた方法で、所望のパラメータを、複数のチャンネルストリップの多機能操作子にまとめて割り当てることができるようにした音処理装置及び方法を提供することを目的とする。
【課題を解決するための手段】
【０００９】
この発明に係る音処理装置は、それぞれ入力された信号に対して信号処理を行う複数のチャンネルと、それぞれ、前記複数のチャンネルの何れか１つに対応付けられ、且つ、任意のパラメータを割当可能な多機能操作子を含む複数のチャンネルストリップを備える操作部と、前記複数のチャンネルの何れか１つのチャンネルの信号処理を制御するための複数のパラメータを一画面内に表示する表示部と、前記表示部において何れか１つのパラメータが選択されたとき、各チャンネルストリップの前記多機能操作子に、それぞれ対応付けられたチャンネルの前記選択されたパラメータを割り当てる割り当て制御部を備える。
【００１０】
この発明によれば、１つのチャンネルの信号処理を制御する複数のパラメータを一画面内に表示した表示部において何れか１つのパラメータが選択されたとき、各チャンネルストリップの多機能操作子に、それぞれ対応付けられたチャンネルの前記選択されたパラメータが割り当てられる。従って、１チャンネルのパラメータを表示した表示部にてパラメータを選択するだけで、表示部に表示中のチャンネルのチャンネルストリップの多機能操作子のみならず、表示部に表示されていない複数のチャンネルのチャンネルストリップも含めた全てのチャンネルストリップの多機能操作子にまとめてパラメータ割当を行うことができる。このとき、表示部は、１つのチャンネルの信号処理を制御するための複数のパラメータを一画面内に表示するので、複数のチャンネルのパラメータを一画面内に並べて表示する従来技術に比べて、多種多様なパラメータを選択肢として提示し得る。従って、操作者は、リスト画面等の別画面を表示させる手間をかけることなく、多数の選択肢のなかから所望のパラメータを選択できる。
【００１１】
また、この発明は、装置の発明として構成及び実施し得るのみならず、前記装置を構成する各構成要素に対応するステップを備える方法の発明として実施及び構成されてよい。
【発明の効果】
【００１２】
この発明によれば、直感的で操作性に優れた方法で、所望のパラメータを、全てのチャンネルストリップの多機能操作子にまとめて割り当てることができる。
【図面の簡単な説明】
【００１３】
【図１】この発明に係る音処理装置の構成例を示す概念的ブロック図。
【図２】図１の音処理装置を適用したオーディオミキサの電気的ハードウェア構成例を示すブロック図。
【図３】図２のオーディオミキサの信号処理構成例を説明するブロック図。
【図４】１チャンネルの信号処理構成例を説明するブロック図。
【図５】図２のオーディオミキサの操作パネル構成例を説明する図。
【図６】タッチパネルに表示される詳細画面の一例を説明する図。
【図７】詳細画面を表示する処理例を示すフローチャート。
【図８】タッチに応じた処理例を示すフローチャート。
【図９】値調整処理例を示すフローチャート。
【発明を実施するための形態】
【００１４】
以下、添付図面を参照して、この発明の一実施形態について詳細に説明する。
【００１５】
図１は、この発明に係る音処理装置の構成例を説明する概念的ブロック図を示す。図１において音処理装置１０は、それぞれ入力された信号に対して信号処理を行う複数のチャンネル１１と、それぞれ、複数のチャンネル１１の何れか１つに対応付けられ、且つ、任意のパラメータを割当可能な多機能操作子を含む複数のチャンネルストリップを備える操作部１２と、複数のチャンネル１１の何れか１つのチャンネルの信号処理を制御するための複数のパラメータを一画面内に表示する表示部１３と、表示部１３において何れか１つのパラメータが選択されたとき、各チャンネルストリップの前記多機能操作子に、それぞれ対応付けられたチャンネルの前記選択されたパラメータを割り当てる割り当て制御部１４を備える。
【００１６】
図１の音処理装置１０は、例えば、複数チャンネルの音信号に対して混合等の信号処理を行うデジタルオーディオミキサ（以下単に「ミキサ」とも言う）に適用した例について説明する。
【００１７】
図２は、ミキサ２０の電気的ハードウェア構成例を示すブロック図を示す。図２において、ミキサ２０は、ＣＰＵ（Central Processing Unit、中央処理装置）２１、メモリ２２、タッチパネル２３、操作子群２４、及び、ミキシング部（図において「ＭＩＸ」）２５を含み、各部２１〜２５がバス２６を介して接続される。
【００１８】
ＣＰＵ２１は、メモリ２２に記憶された各種のプログラムを実行して、ミキサ２０を制御する。メモリ２２は、ＣＰＵ２１が実行する各種のプログラムや各種のデータなどを不揮発に格納するほか、ＣＰＵ２１が実行するプログラムのロード領域やワーク領域に使用される。メモリ２２は、リードオンリーメモリ、ランダムアクセスメモリ、フラッシュメモリあるいはハードディスク等の各種メモリ装置を適宜組み合わせて構成されてよい。また、メモリ２２は、後述するミキシング部２５による信号処理を制御するために用いる全てのパラメータの値を記憶する。
【００１９】
タッチパネル２３は、ＣＰＵ２１の制御に基づき各種表示を行う表示機構と、操作者の指等による画面への接触を検出する検出機構とを含む。表示機構は、例えば、液晶パネルや、有機ＥＬディスプレイなど周知のディスプレイ装置であってよい。検出機構は、タッチパネル２３の画面への接触位置を検出し、検出された位置に対応する検出信号をＣＰＵ２１へ出力する。この明細書では、タッチパネル２３の画面への接触による入力操作を「タッチ」という。タッチパネル２３が、図１の表示部１３を構成する。
【００２０】
操作子群２４は、ミキサ２０の操作パネル上に配置された複数の操作子および関連するインターフェース回路等である。操作パネルの構成例は後述の図４に示す。
【００２１】
ミキシング部２５は、例えばＤＳＰ（Digital Signal Processor）や、ＣＰＵ２１およびメモリ２２に記憶されたソフトウェアにより仮想的に実現された信号処理装置で構成される。ミキシング部２５は、信号処理用のプログラムを実行することにより、図示しない入力機器から供給された１又は複数の音信号を処理して、該処理した音信号を、図示しない出力機器へ出力する。
【００２２】
図３は、ミキシング部２５による信号処理の構成例を示すブロック図を示す。ミキサ２０は、図３に示す通り、複数のチャンネル３０と、複数のバス４０を有する。各チャンネル３０は、入力された音信号に対して音量調整を含む各種信号処理を施し、処理された音信号を操作者により選択された１又は複数のバス４０に供給する。各バス４０は、１又は複数チャンネル３０から供給された音信号を混合して、混合された音信号を、対応する出力チャンネル（不図示）を介して、出力する。ミキシング部２５による信号処理は、メモリ２２に記憶された各種のパラメータの値に基づいて制御される。
【００２３】
図４は、１つのチャンネルの信号処理の構成例を示す。１つのチャンネル３０は、信号処理を制御するための制御要素として、入力ゲイン（図において「ゲイン」）３１、ハイパスフィルタ（図において「ＨＰＦ」）３２、アッテネータ（図において「ＡＴＴ」）３３、イコライザ（図において「ＥＱ」）３４、コンプレッサ（図において「ＣＯＭＰ．」）３５、フェーダレベル（図において「レベル」）３６、チャンネルオン／オフ（図において「オン」）３７、バス毎のセンドレベル（図において「センド」）３８、及び、パン３９などを備えている。これら複数の制御要素３１〜３９を制御するための複数のパラメータが、「１つのチャンネルの信号処理を制御する複数のパラメータ」である。これら制御要素３１〜３９は、それぞれ１又は複数のパラメータにより制御される。例えば、イコライザ３４は、複数（例えば４つ）の周波数帯域、帯域毎のゲイン、帯域毎の帯域幅という複数のパラメータにより制御され、また、センドレベル３８は、複数のバス４０のそれぞれに対応する複数の値を持つ。従って、１チャンネルの信号処理を制御するパラメータの数は、非常に多くなる。
【００２４】
図５は、ミキサ２０の操作パネルの構成例を示す。操作パネルは、タッチパネル２３と、該タッチパネル２３の下方（操作者の位置から見て手前側）に横方向に並設された複数ｎ個（例えば１２本）のチャンネルストリップ５０ａ、５０ｂ・・・５０ｎとを備える。この明細書において、上下方向（縦方向）とは、操作パネルの手前側（操作者の位置）から見た奥行き方向、すなわち、図５における上下方向を表す。各チャンネルストリップ５０ａ、５０ｂ・・・５０ｎには、それぞれ、１つのチャンネルが対応付けられている。例えば、各チャンネルストリップ５０ａ、５０ｂ・・・５０ｎには、図において左から順に、チャンネル「ＣＨ１３」〜「ＣＨ２４」が割り当てられる。
【００２５】
各チャンネルストリップ５０ａ、５０ｂ・・・５０ｎは、対応付けられたチャンネルの信号処理を制御するパラメータの値を調整するための複数の物理的操作子５１〜５５を備える。物理的操作子は、例えば、音量調整用のフェーダ操作子５１、任意のパラメータを割当可能な多機能操作子５２、ＣＵＥオン／オフを切り替えるＣＵＥキー５３、当該チャンネルのオン／オフを切り替えるオンオフキー５４、及び、当該チャンネルを選択する選択キー５５である。図示及び説明の便宜上、１つのチャンネルストリップ５０ａの操作子５１〜５５にのみ符号を付与した。操作子５１〜５５は、図２の操作子群２４に含まれる。
【００２６】
フェーダ操作子５１、ＣＵＥキー５３、オンオフキー５４、及び、当選択キー５５には、制御対象のパラメータが固定的に割り当てられている。多機能操作子５２は、操作者により選択されたパラメータが制御対象に割り当てられる。多機能操作子５２に割り当てるパラメータの選択は、タッチパネル２３に表示された画面から行われる。言い換えれば、多機能操作子５２は、基本的には、タッチパネル２３に表示された画面内で選択されたパラメータの値を調整するものである。
【００２７】
図６は、多機能操作子５２に割り当てるパラメータの選択を行うための画面の一例であって、１つのチャンネルの信号処理の制御に用いる全てのパラメータ（以下、「チャンネルのパラメータ」とも言う）を、一括して詳細に表示する詳細画面６０である。この実施例に係るミキサ２０は、以下に、詳しく説明する通り、図６のような１チャンネルのパラメータ群を表示する詳細画面６０内でのパラメータの選択に応じて、全てのチャンネルストリップ５０ａ、５０ｂ・・・５０ｎの多機能操作子５２に、パラメータをまとめて割り当てることに特徴がある。詳細画面６０は、１つのチャンネルの信号処理を制御するための複数のパラメータ（例えば１チャンネルの全てのパラメータ）を一画面内に並べて表示しているので、複数のチャンネルのパラメータをチャンネル毎に一画面内に並べて表示する画面に比べて、数多くのパラメータを選択肢として提示し得る。
【００２８】
図７は、或る１チャンネルの詳細画面６０を表示するための処理例を示すフローチャートである。操作者が、操作パネル上の物理的操作子等を用いて、所望の１つのチャンネルを選択して、表示指示を行うと、ＣＰＵ２１は、図７の処理を開始する。ステップＳ１において、ＣＰＵ２１は、選択されたチャンネルの全てのパラメータを特定し、該特定された各パラメータの値をメモリ２２から取得する。ステップＳ２において、ＣＰＵ２１は、取得した各パラメータの値に基づいて、前記選択されたチャンネルの詳細画面６０を、タッチパネル２３に表示する。詳細画面６０に表示するチャンネルは、一例として、ミキサ２０に備わる全てのチャンネルから選択できる。別の例として、詳細画面６０に表示するチャンネルは、チャンネルストリップ５０ａ、５０ｂ・・・５０ｎに対応付けられている複数のチャンネルの中から選択される。
【００２９】
図６において、詳細画面６０内に表示された様々なパラメータ画像６１、６２、６３、６４・・・は、それぞれ、選択されたチャンネルのパラメータに対応付けられている。具体的には、パラメータ画像６１、６２、６３、６４・・・は、それぞれ、入力ゲイン、ハイパスフィルタのカットオフ周波数と帯域幅、アッテネータ、イコライザの複数周波数帯域と帯域毎のゲインと帯域毎の帯域幅、コンプレッサのスレッショルドとレシオ、チャンネルオン／オフ、バス毎のセンドレベル、或いは、パンなど、前記図４に示す各制御要素３１〜３９を制御するための複数のパラメータに対応付けられている。これらパラメータ画像６１、６２、６３、６４・・・により、選択されたチャンネルのの信号処理を制御する全てのパラメータが表示される。パラメータ画像６１、６２、６３、６４・・・は、例えば、操作子の形状を模擬した操作子画像、数値画像、フィルタの特性を示すグラフ画像など、様々な形状で表現されており、それぞれ、対応付けられたパラメータの現在値を表す。なお、図示及び説明の便宜上、詳細画面６０中の一部のパラメータ画像にのみ符号６１、６２、６３、６４・・・を付与した。
【００３０】
パラメータ画像６１、６２、６３、６４・・・は、それぞれ、対応するパラメータを選択するためのボタン画像として機能する。詳細画面６０は、選択された１つのチャンネルの全てのパラメータを一画面内に並べて表示しているので、操作者は、例えば所望のパラメータを見つけ出すために別の画面に切り替えたり、或いは、リスト画面を表示させたりといった手間をかけることなく、１チャンネルの信号処理を制御する全てのパラメータの中から所望のパラメータを選択することができる。
【００３１】
図８は、詳細画面６０へのタッチに応じて、ＣＰＵ２１が実行する処理例を示すフローチャートである。ＣＰＵ２１は、ステップＳ１０において、タッチの位置に基づいて、そのタッチがパラメータ画像６１、６２、６３、６４・・・に対するタッチか否かを判断する。何れかのパラメータ画像がタッチされた場合（ステップＳ１０のＹｅｓ）、ＣＰＵ２１は、ステップＳ１１において、タッチされたパラメータ画像に対応付けられたパラメータを特定する。これにより、詳細画面６０に表示中の１チャンネルの当該タッチされたパラメータが選択される。例えば、チャンネル番号「ＣＨ１４」の詳細画面６０がタッチパネル２３に表示されているときに、パンに対応するパラメータ画像がタッチされた場合、ＣＨ１４のパンが選択される。
【００３２】
ステップＳ１２において、ＣＰＵ２１は、各チャンネルストリップ５０ａ、５０ｂ・・・５０ｎに対応付けられているチャンネル群を特定する。そして、ステップＳ１３において、ＣＰＵ２１は、全てのチャンネルストリップ５０ａ〜５０ｎの多機能操作子５２に、それぞれ対応付けられているチャンネルの前記選択されたパラメータを割り当てて、処理を終了する。これにより、１チャンネルの全てのパラメータを表示する詳細画面６０内でのパラメータ選択に応じて、全てのチャンネルストリップ５０ａ、５０ｂ・・・５０ｎの多機能操作子５２へのパラメータ割当をまとめて行うことができる。なお、パラメータ画像以外の位置がタッチされた場合（ステップＳ１０のＮｏ）、ＣＰＵ２１は、タッチされた位置に応じた処理を行い（ステップＳ１４）、処理を終了する。ＣＰＵ２１によるステップＳ１３の処理が、図１の「表示部１３において何れか１つのパラメータが選択されたとき、各チャンネルストリップの前記多機能操作子に、それぞれ対応付けられたチャンネルの前記選択されたパラメータを割り当てる割り当て制御部１４」の動作に相当する。
【００３３】
図８の処理後、操作者によりチャンネルストリップ５０ａ、５０ｂ・・・５０ｎの多機能操作子５２が操作されたとき、ＣＰＵ２１は、多機能操作子５２の操作量（例えばつまみ部の回転角度）に応じて、その操作子５２に割り当てられているパラメータの値を変更する（図９のステップＳ１５）。これにより、メモリ２２に記憶されているパラメータの値が更新され、更新結果がミキシング部２５の信号処理に反映する。なお、詳細画面６０が、前記変更されたパラメータの属するチャンネルを表示するものである場合は、前記ステップＳ１５の値変更に応じて、ＣＰＵ２１は、詳細画面６０内の、対応するパラメータ画像６１、６２、６３、６４・・・の表示を更新する。詳細画面６０が、前記変更されたパラメータの属するチャンネルを表示するものでない場合は、表示更新は行われない。
【００３４】
例えば、チャンネルストリップ５０ａ、５０ｂ・・・５０ｎに、チャンネル「ＣＨ１３」〜「ＣＨ２４」が割り当てられており、チャンネル番号「ＣＨ１４」の詳細画面６０がタッチパネル２３に表示されているものとする。このとき、詳細画面６０で、例えばパンに対応付けられたパラメータ画像６３がタッチされた場合、チャンネルストリップ５０ａの多機能操作子５２にはＣＨ１３のパン、チャンネルストリップ５０ｂの多機能操作子５２にはＣＨ１４のパン、チャンネルストリップ５０ｃの多機能操作子５２にはＣＨ１５のパン・・・という具合に、１２本のチャンネルストリップ５０ａ、５０ｂ・・・５０ｎの多機能操作子５２に、それぞれ対応するチャンネル（「ＣＨ１３」〜「ＣＨ２４」）のパンが割り当てられる。
【００３５】
このように、１チャンネルの詳細画面６０でのパラメータ選択に応じて、全てのチャンネルストリップ５０ａ、５０ｂ・・・５０ｎの多機能操作子５２のパラメータ割り当てを行う構成によれば、１画面内に１チャンネル分の全てのパラメータが選択肢として提示されているので、画面切り替えやリスト表示等の面倒な手間をかけることなく直感的な操作で、１つのチャンネルの信号処理を制御する全てのパラメータの中から所望のパラメータを選択し、各チャンネルストリップ５０ａ、５０ｂ・・・５０ｎの多機能操作子５２に、それぞれ対応付けられたチャンネルの該選択されたパラメータをまとめて割り当てることができる。また、或るチャンネルに関する詳細画面６０にてパラメータを選択するだけで、その詳細画面６０に表示されているチャンネルのチャンネルストリップの多機能操作子５２のみならず、詳細画面６０に表示されていない複数のチャンネルのチャンネルストリップの多機能操作子５２にも、それぞれ、そのチャンネルの選択されたパラメータを割り当てることができる。このため、操作者は、１つのチャンネルに関する詳細な調整作業を詳細画面６０を参照して行いつつ、同時並行的に、他のチャンネルでも詳細画面６０にて選択されたパラメータを調整する、といった操作を素早く簡単に行うことができる。
【００３６】
別の実施形態において、１つの多機能操作子５２に対して、複数のパラメータの組み合わせを割り当て、該１つの多機能操作子５２により該複数のパラメータの各値を調整するようにしてもよい。その場合、詳細画面６０において、１つのパラメータ画像は、複数のパラメータの組み合わせに対応付けられており、そのパラメータ画像へのタッチに応じて、各チャンネルストリップ５０ａ、５０ｂ・・・５０ｎの多機能操作子５２に、それぞれ対応付けられたチャンネルの該選択された複数のパラメータの組み合わせが割り当てられる。具体的には、例えば、コンプレッサ３５に対応付けられたパラメータ画像には、そのコンプレッサ３５のスレッショルドとレシオとの２つのパラメータが対応付けられる。そのパラメータ画像へのタッチに応じて、ＣＰＵ２１は、各チャンネルストリップ５０ａ、５０ｂ・・・５０ｎの多機能操作子５２に、それぞれ対応付けられたチャンネルのコンプレッサ３５のスレッショルドとレシオとを割り当てる（前記ステップＳ１３）。この場合、１つの多機能操作子５２の操作に応じて、ＣＰＵ２１は、対応付けられたチャンネルの、コンプレッサ３５のスレッショルドの値とレシオの値とを変更する（前記ステップＳ１５）。すなわち、この明細書において、タッチパネル２３の詳細画面６０（表示部１３）において選択されるパラメータ（パラメータ画像に対応付けられたパラメータ）、あるいは、多機能操作子５２に割り当てられるパラメータとは、１つの多機能操作子５２により制御される「複数のパラメータの組み合わせ」を含む。
【００３７】
また、別の実施形態において、詳細画面６０は、１つのチャンネルの複数のパラメータ群を１画面内に表示する画面であれば、１つのチャンネルの全てのパラメータを表示するものに限らない。例えば、１つのチャンネルに関するエフェクタの設定を詳細に表示する画面など、その他のどのような詳細画面であってもよい。
【００３８】
また、タッチパネル２３は、ミキサ２０の筐体に組み込まれたものに限らず、例えばミキサ２０に外部接続されたタブレット端末など、外部機器に備わるタッチパネルであってもよい。
【００３９】
また、別の実施形態において、表示部１３は、画面への接触による操作入力機能を持たないディスプレイにより構成されてもよい。その場合、画面上でのパラメータの選択は、例えば、操作子群２４の物理的操作子や、マウス、キーボード等の操作入力装置を用いて行われてよい。
【００４０】
また、別の実施形態において、ミキサ２０は、例えばタッチパネル２３を備えたコンピュータ装置（いわゆるスレートデバイス）など、図３の信号処理（ミキシング処理）の動作を行うためのプログラムを実装したコンピュータ装置により構成されてもよい。
【００４１】
また、音処理装置１０は、ミキサ２０に限らず、レコーダ、プロセッサなど、どのような音処理装置に適用されてもよく、また、ビデオ映像をミキシング等処理するビデオミキサであってもよい。音処理装置１０は、パーソナルコンピュータ上で実行されるＤＡＷ（デジタル・オーディオ・ワークステーション）ソフトウェアアプリケーションに適用され得る。
【００４２】
また、音処理装置１０は、図１に示す各部１１、１２、１３及び１４の動作を実行するように構成された専用ハードウェア装置（集積回路等）からなっていてもよい。また、音処理装置１０は、図１に示す各部１１、１２、１３及び１４の動作を行なうためのプログラムを実行する機能を持つプロセッサ装置により構成されてよい。
【００４３】
また、この発明は、それぞれ入力された信号に対して信号処理を行う複数のチャンネルと、それぞれ、前記複数のチャンネルの何れか１つに対応付けられ、且つ、任意のパラメータを割当可能な多機能操作子を含む複数のチャンネルストリップを備える操作部と、表示部を備える音処理装置において、該音処理装置のコントローラが実行する割当方法であって、前記複数のチャンネルの何れか１つのチャンネルの信号処理を制御するための複数のパラメータを一画面内に表示する詳細画面を、前記表示部に表示するステップと、前記詳細画面において何れか１つのパラメータが選択されたとき、各チャンネルストリップの前記多機能操作子に、それぞれ対応付けられたチャンネルの前記選択されたパラメータを割り当てるステップからなる方法の発明として、構成及び実施されてもよい。また、前記方法を構成する各ステップを、コンピュータに実行させるプログラムの発明として、構成及び実施されてもよい。その場合、前記ステップＳ２が詳細画面を表示するステップ、前記ステップＳ１３が割り当てる手順に相当する。
【００４４】
以上、この発明の一実施形態を説明したが、この発明は上記各種の実施形態に限定されるものではなく、特許請求の範囲、及び明細書と図面に記載された技術的思想の範囲内において種々の変形が可能である。
【符号の説明】
【００４５】
１０  音処理装置、１１  複数のチャンネル、１２  操作部、１３  表示部、１４  割り当て制御部、２０  ミキサ、２１  ＣＰＵ、２２  メモリ、２３  タッチパネル、２４  操作子群、２５  ミキシング部、３０  チャンネル、４０  バス、５０  チャンネルストリップ、５２  多機能操作子、６０  詳細画面、６１〜６４  パラメータ画像
【図１】
2018107511.tif 000003
【図２】
2018107511.tif 000004
【図３】
2018107511.tif 000005
【図４】
2018107511.tif 000006
【図５】
2018107511.tif 000007
【図６】
2018107511.tif 000008
【図７】
2018107511.tif 000009
【図８】
2018107511.tif 000010
【図９】
2018107511.tif 000011